(57)【要約】【課題】設計自由度の高い減衰極を２つ持ち、全体の形状を小型化できるローパスフィルタを提供する。【解決手段】第１の誘電体層１下面の第１のグランド電極５、第２・第３の誘電体層２・３間の第２のグランド電極６、第１・第２の誘電体層１・２間の第１・第２のグランド電極５・６と対向した第１のコンデンサ電極７、第３・第４の誘電体層３・４間の第２のグランド電極６とそれぞれ対向した第２・第３のコンデンサ電極８・９、および第４の誘電体層４上面の第１・第２のコイル電極１０・１１を具備し、第１・第２のコイル電極１０・１１の一方端間を第１のコンデンサ電極７と接続し、第１のコイル電極１０の他方端を第２のコンデンサ電極８と接続して入力端子とし、第２のコイル電極１１の他方端を第３のコンデンサ電極９と接続して出力端子としたローパスフィルタである。【選択図】  図１
2004153414.tif 000002
【特許請求の範囲】
【請求項１】
順次積層された第１乃至第４の誘電体層と、前記第１の誘電体層の下面に形成された第１のグランド電極ならびに前記第２および第３の誘電体層間に形成された第２のグランド電極と、前記第１および第２の誘電体層間に形成され、前記第１および第２のグランド電極と対向した第１のコンデンサ電極と、前記第３および第４の誘電体層間に形成され、前記第２のグランド電極とそれぞれ対向した第２および第３のコンデンサ電極と、前記第４の誘電体層の上面に形成された第１および第２のコイル電極とを具備し、該第１および第２のコイル電極の一方端同士を接続するとともにこれら一方端間を前記第１のコンデンサ電極と電気的に接続し、前記第１のコイル電極の他方端を前記第２のコンデンサ電極と電気的に接続するとともに入力端子とし、前記第２のコイル電極の他方端を前記第３のコンデンサ電極と電気的に接続するとともに出力端子としたことを特徴とするローパスフィルタ。
【請求項２】
前記入力端子および前記出力端子を前記第１の誘電体層の下面に導出したことを特徴とする請求項１記載のローパスフィルタ。
【発明の詳細な説明】
【０００１】
【発明の属する技術分野】
本発明は、主に携帯電話や移動体通信のような電子機器の電子回路に１〜３ＧＨｚ前後の周波数帯において使用されるローパスフィルタに関し、特にグランド電極・コンデンサ電極またはコイル電極が形成された複数の誘電体層を積層することによって構成されたローパスフィルタに関するものである。
【０００２】
【従来の技術】
携帯電話や移動体通信のような電子機器の電子回路に１〜３ＧＨｚ前後の周波数帯において使用されるローパスフィルタについては、これが用いられる電子機器の小型化・高密度化・低価格化に対する要求が高まる中、同様に小型化・高密度化が要求されている。
【０００３】
このようなローパスフィルタとして、例えば特開平７−２７３５０２号公報には、表面にマイクロストリップラインを有する誘電体基板と、表面にコンデンサ電極を有する誘電体基板とを、誘電体シートと表面にグランド電極を有する誘電体基板とで挟持して積層し、側面にそれらマイクロストリップライン・コンデンサ電極およびグランド電極を導通する外部電極を形成したローパスフィルタにおいて、マイクロストリップラインを有する誘電体基板と、コンデンサ電極を有する誘電体基板との間に、表面にグランド電極と導通したシールド電極を有する誘電体基板を挿入したローパスフィルタが開示されている。
【０００４】
これによれば、マイクロストリップラインを有する誘電体基板とコンデンサ電極を有する誘電体基板の間に、表面にグランド電極と導通するシールド電極を挿入することにより、マイクロストリップラインの両端に発生する浮遊容量を低下させることができるため、ローパスフィルタを通過した後の高周波帯域の減衰量を高く保つことができ、不要な高調波を除去することができるというものである。
【０００５】
また、コンデンサ電極とシールド電極との間で新たなコンデンサが発生し、コンデンサ電極とグランド電極との間のコンデンサに並列に付加されるため、コンデンサの総合静電容量が２倍になり、形状を変更することなくローパスフィルタの共振周波数を低下させることができ、また、共振周波数が一定の場合では、ローパスフィルタの形状を小型にすることができるというものである。
【０００６】
【特許文献１】
特開平７−２７３５０２号公報
【０００７】
【発明が解決しようとする課題】
しかしながら、特開平７−２７３５０２号公報に開示されたローパスフィルタでは、マイクロストリップラインの両端に発生する浮遊容量を低下させることができるため、ローパスフィルタを通過した後の高周波帯域の減衰量を高く保つことができ、不要な高調波を除去できるものの、形状を小型にするために、コンデンサ電極とシールド電極との間で新たなコンデンサを発生させ共振周波数を低下させることによりローパスフィルタの形状を小型化しているが、共振周波数をローパスフィルタ全体のコイル電極とコンデンサ電極とによって発生させているため、コイル電極とコンデンサ電極とをある程度大きくしないと共振周波数を低下させることが困難であるという問題点があった。
【０００８】
また、共振周波数をローパスフィルタ全体のコイル電極とコンデンサ電極とによって発生させているため、任意の共振周波数を１つしか発現できないという問題点もあった。
【０００９】
また、すべてのコンデンサの総合静電容量をコンデンサ電極とグランド電極との間、およびコンデンサ電極とシールド電極との間にて発生させているが、もっとも大きな容量すなわち小型化が必要とされるコンデンサ電極は、マイクロストリップライン同士が接続される部分に接続されるコンデンサ電極のみでよいのに対し、すべてのコンデンサ電極を同じ誘電体表面に並べているため小型化しにくいといった問題点があった。
【００１０】
本発明は上記従来技術の問題点に鑑みて案出されたものであり、その目的は、共振周波数を低下させるとともに任意の共振周波数すなわち減衰極を２つ設けることができ、しかも全体の形状を小型化できる、１〜３ＧＨｚ前後の高周波の周波数帯において好適に使用されるローパスフィルタを提供することにある。
【００１１】
【課題を解決するための手段】
本発明のローパスフィルタは、順次積層された第１乃至第４の誘電体層と、前記第１の誘電体層の下面に形成された第１のグランド電極ならびに前記第２および第３の誘電体層間に形成された第２のグランド電極と、前記第１および第２の誘電体層間に形成され、前記第１および第２のグランド電極と対向した第１のコンデンサ電極と、前記第３および第４の誘電体層間に形成され、前記第２のグランド電極とそれぞれ対向した第２および第３のコンデンサ電極と、前記第４の誘電体層の上面に形成された第１および第２のコイル電極とを具備し、該第１および第２のコイル電極の一方端同士を接続するとともにこれら一方端間を前記第１のコンデンサ電極と電気的に接続し、前記第１のコイル電極の他方端を前記第２のコンデンサ電極と電気的に接続するとともに入力端子とし、前記第２のコイル電極の他方端を前記第３のコンデンサ電極と電気的に接続するとともに出力端子としたことを特徴とするものである。
【００１２】
また、本発明のローパスフィルタは、上記構成において、前記入力端子および前記出力端子を前記第１の誘電体層の下面に導出したことを特徴とするものである。
【００１３】
【発明の実施の形態】
本発明のローパスフィルタによれば、順次積層された第１乃至第４の誘電体層と、第１の誘電体層の下面に形成された第１のグランド電極ならびに第２および第３の誘電体層間に形成された第２のグランド電極と、第１および第２の誘電体層間に形成され、第１および第２のグランド電極と対向した第１のコンデンサ電極と、第３および第４の誘電体層間に形成され、第２のグランド電極とそれぞれ対向した第２および第３のコンデンサ電極と、第４の誘電体層の上面に形成された第１および第２のコイル電極とを具備し、第１および第２のコイル電極の一方端同士を接続するとともにこれら一方端間を第１のコンデンサ電極と電気的に接続するとともに、第１のコイル電極の他方端を第２のコンデンサ電極と電気的に接続するとともに入力端子とし、第２のコイル電極の他方端を第３のコンデンサ電極と電気的に接続するとともに出力端子としてローパスフィルタを構成したことから、第１のコイル電極（Ｌ１）と、第１のコイル電極（Ｌ１）の両端に接続されることとなる、第１のコンデンサ電極および第２のコンデンサ電極の間に形成されるコンデンサ（Ｃ４）とによる並列共振回路により発現する減衰極、および第２のコイル電極（Ｌ２）と、第２のコイル電極（Ｌ２）の両端に接続されることとなる、第１のコンデンサ電極および第３のコンデンサ電極の間に形成されるコンデンサ（Ｃ５）とによる並列共振回路により発現する減衰極を、コイル電極およびコイル電極の両端に接続されるコンデンサの大きさを変えることにより任意に設定できる。すなわち、コイル電極を大きくしたい場合はコンデンサ電極を小さくでき、またコンデンサ電極を大きくしたい場合はコイル電極を小さくできるため、コイル電極およびコンデンサ電極の大きさを適切に設定することにより、ローパスフィルタ全体のコイル電極およびコンデンサ電極を大きくすることなく減衰極を低下させることができる。
【００１４】
また、このようにして並列共振回路を２つ直列に接続したことにより、２つの任意の減衰極を設けることができる。また、第１乃至第３の３つのコンデンサ電極のうち、一般的に用いられるバタワース型・ベッセル型およびチェビシェフ型等のローパスフィルタの構成上最も大きくなる第１のコンデンサ電極を第１および第２の誘電体層間に第１および第２のグランド電極と対向させて形成したことにより、第１のコンデンサ電極と第１および第２のグランド電極とを対向させて形成される接地容量Ｃ１の大きさを、１つのグランド電極のみに対向する際に必要とされる大きさの略半分とすることができる。また、積層方向から見た場合に、第１のコンデンサ電極と第２および第３のコンデンサ電極とを重ねることができるため、ローパスフィルタ全体を小型化できる。
【００１５】
また、入力端子および出力端子を第１の誘電体層の下面に導出したときには、このローパスフィルタを表面実装型の電子部品として外部電気回路基板上に実装することが可能となる。
【００１６】
以下、本発明のローパスフィルタについて図面を参照しつつ説明する。
【００１７】
図１は本発明のローパスフィルタの実施の形態の一例を示す分解斜視図である。図１において、１は第１の誘電体層、２は第２の誘電体層、３は第３の誘電体層、４は第４の誘電体層、５は第１のグランド電極、６は第２のグランド電極、７は第１のコンデンサ電極、８は第２のコンデンサ電極、９は第３のコンデンサ電極、１０は第１のコイル電極、１１は第２のコイル電極、１２は第１の貫通導体、１３は第２の貫通導体、１４は第３の貫通導体である。
【００１８】
図１に示す例においては、第１の誘電体層１の下面に形成された第１のグランド電極５ならびに第２の誘電体層２および第３の誘電体層３間に形成された第２のグランド電極６と、第１の誘電体層１および第２の誘電体層２間に形成され、第１のグランド電極５および第２のグランド電極６と対向した第１のコンデンサ電極７との間に生じる接地容量をＣ１とし、第３の誘電体層３および第４の誘電体層４間に形成され、第２のグランド電極６とそれぞれ対向した第２のコンデンサ電極８および第３のコンデンサ電極９との間に生じる接地容量をそれぞれＣ２およびＣ３とし、第４の誘電体層４の上面に形成された第１のコイル電極１０および第２のコイル電極１１により生じるインダクタンスをそれぞれＬ１およびＬ２とし、第１のコンデンサ電極７と、第２の誘電体層２・第２のグランド電極６および第３の誘電体層３を介して第２のコンデンサ電極８および第３のコンデンサ電極９とが対向して形成される容量をそれぞれＣ４およびＣ５とする。
【００１９】
そして、図１に示す例では、第１のコイル電極１０および第２のコイル電極１１の一方端同士を接続し、例えば第１の貫通導体１２を介して接地容量Ｃ１を生じる第１のコンデンサ電極７と電気的に接続するとともに、第１のコイル電極１０の他方端を例えば第２の貫通導体１３を介して接地容量Ｃ２を生じる第２のコンデンサ電極８と電気的に接続して入力端子とし、また第２のコイル電極１１の他方端を接地容量Ｃ３を生じる第３のコンデンサ電極９と例えば第３の貫通導体１４を介して電気的に接続することによりローパスフィルタを構成している。ここで、第２の誘電体層２・第２のグランド電極６および第３の誘電体層３を介して第１のコンデンサ電極７と第２のコンデンサ電極８との間に生じる容量をＣ４とし、同じく第１のコンデンサ電極７と第３のコンデンサ電極９との間に生じる容量をＣ５とする。
【００２０】
このような図１に示す本発明のローパスフィルタの例によれば、そのローパスフィルタの等価回路図は図２に示すようなものとなる。そして、第１乃至第３の誘電体層１〜３、第１および第２のグランド電極５・６および第１乃至第３のコンデンサ電極７〜９によって容量Ｃ１〜Ｃ５を調整し、また第１および第２のコイル電極１０・１１によってインダクタンスＬ１・Ｌ２を調整することにより、所望のローパス特性を有するローパスフィルタを得ることができる。
【００２１】
また、入力端子および出力端子を第１の誘電体層の下面に第１のグランド電極５とは電気的に絶縁して導出することにより、このローパスフィルタを表面実装型の電子部品として外部電気回路基板上に実装することが可能となる。
【００２２】
このように、図１に示す本発明のローパスフィルタの例においては、図２に等価回路図で示すように、第１のコイル電極１０で形成されるインダクタンスＬ１と、第１のコイル電極１０の両端に接続される第１のコンデンサ電極７と第２の誘電体層２・第２のグランド電極６および第３の誘電体層３を挟んで第２のコンデンサ電極８とが対向することよって形成される容量Ｃ４との並列共振回路を、また第２のコイル電極１１で形成されるインダクタンスＬ２と、第２のコイル電極１１の両端に接続される第１のコンデンサ電極７と第２の誘電体層２・第２のグランド電極６および第３の誘電体層３を挟んで第３のコンデンサ電極９とが対向することによって形成される容量Ｃ５との並列共振回路を形成しており、これらの並列共振回路の共振周波数をそれぞれ通過帯域の２倍および３倍の高調波に該当させることにより、ローパスフィルタに必要とされる通過帯域の２倍および３倍の高調波の除去を確実に行なうことができる。
【００２３】
また、並列共振回路は、それぞれインダクタンスＬ１および容量Ｃ４、ならびにインダクタンスＬ２および容量Ｃ５にて形成され、各コイル電極１０・１１の長さや各コンデンサ電極７〜９の面積にて設定できるため、特開平７−２７３５０２号公報に開示されたもののように全体の形状を大きくすることなく共振周波数を低下させることができる。
【００２４】
また、共振周波数の調整をインダクタンスＬ１およびＬ２にて行なう場合は、第１および第２のコイル電極１０・１１の長さや第４の誘電体層４の厚みを調整すればよい。さらに、共振周波数の調整を容量Ｃ４およびＣ５にて行なう場合は、第１のコンデンサ電極７と第２のコンデンサ電極８および第３のコンデンサ電極９との積層方向から見た重なる面積や、第１のコンデンサ電極７と第２のコンデンサ電極８および第３のコンデンサ電極９との積層方向から見た重なる面積を制限することとなる第２のグランド電極６の第１の貫通導体１２の周りの開口部の面積や、第２および第３の誘電体層２・３の厚みを調整すればよい。このことより、本発明のローパスフィルタにおいては、減衰極すなわち並列共振回路の共振周波数を設定できるパラメータが多く、設計自由度の大きいものとなっている。
【００２５】
なお、第１および第２のコイル電極１０・１１は、それぞれ第４の誘電体層４の上面に、例えば第２および第３のコンデンサ電極８・９と対向するように配置されて形成されるものであるが、図１に示した例におけるように、第１および第２のコイル電極１０・１１を、それぞれ第４の誘電体層４の上面のみならず内部にかけても形成してもよく、その場合は、第４の誘電体層４の上面に電子部品を実装したり配線を設けたりする領域を確保することができるようになるため、単なるローパスフィルタでなくモジュール基板の一部として構成することもできる。また、第１および第２のコイル電極１０・１１をそれぞれ第２および第３のコンデンサ電極８・９と対向するように配置することにより、第１乃至第３の貫通導体１２〜１４をほぼ垂直方向に配設することができその長さを最短とすることができ、貫通導体の不要なインダクタンス成分を少なくすることができるため、減衰特性のよいローパスフィルタとすることができる。
【００２６】
また、第１乃至第３の３つのコンデンサ電極７〜９のうち、一般的に用いられるバタワース型・ベッセル型およびチェビシェフ型のローパスフィルタの構成上で最も大きくなる第１のコンデンサ電極７を第１のグランド電極５および第２のグランド電極６間に形成したことにより、第１のコンデンサ電極７と第１および第２のグランド電極５・６とを対向させて形成される接地容量Ｃ１の大きさを、１つのグラウンド電極のみに対向する際に必要とされる大きさの略半分とすることができるとともに、第１のコンデンサ電極７と第２のコンデンサ電極８および第３のコンデンサ電極９とを対向させて配置して積層方向より見た場合にオーバーラップさせているので、積層方向から見てローパスフィルタ全体の面積を小さくすることができ、全体を小型化することができる。
【００２７】
図３は、図１に示す本発明のローパスフィルタの例における周波数特性を示す線図である。図３において、横軸は周波数（単位：ＧＨｚ）を、縦軸は信号通過量Ｓ（２，１）（単位：ｄＢ）を表わし、特性曲線はその周波数特性を示している。図３に示す結果より、本発明のローパスフィルタによれば、通過帯域（０．８８ＧＨｚから０．９１５ＧＨｚ）の２倍および３倍の周波数（１．７６ＧＨｚから１．８３ＧＨｚおよび２．６４ＧＨｚから２．７４５ＧＨｚ）において減衰極が発現しているとともに大きな減衰量が得られていることが分かる。
【００２８】
なお、本発明のローパスフィルタは、例えば誘電体層がセラミックスから成る場合であれば、焼成後に各誘電体層となる誘電体セラミックグリーンシートに所定の孔開け加工を施すとともに各電極のパターン形状および貫通導体となる貫通孔やグリーンシートの側面等に導体ペーストを塗布し、これらを積層して焼成することによって製作される。あるいは、誘電体層がフッ素樹脂やガラスエポキシ樹脂・ポリイミド樹脂のような樹脂基板を用い、その表面の銅箔をエッチングして各電極パターン形成を行ない、層間接続用ビア導体を形成して積層プレスするような樹脂基板によっても製作される。
【００２９】
また、第１乃至第４の誘電体層１〜４を始めとする誘電体層には、アルミナセラミックス・ムライトセラミックス等のセラミックス材料やガラスセラミック等の無機系材料、あるいは四フッ化エチレン樹脂（ポリテトラフルオロエチレン；ＰＴＦＥ）・四フッ化エチレン−エチレン共重合樹脂（テトラフルオロエチレン−エチレン共重合樹脂；ＥＴＦＥ）・四フッ化エチレン−パーフルオロアルコキシエチレン共重合樹脂（テトラフルオロエチレン−パーフルテロアルキルビニルエーテル共重合樹脂；ＰＦＡ）等のフッ素樹脂やガラスエポキシ樹脂・ポリイミド等の樹脂系材料等が用いられる。また、第１および第２のグランド電極５・６、第１乃至第３のコンデンサ電極７〜９、第１および第２のコイル電極１０・１１には、高周波信号伝送用の金属材料の導体層、例えばＣｕ層・Ｍｏ−Ｍｎのメタライズ層上にＮｉメッキ層およびＡｕメッキ層を被着させたもの・Ｗのメタライズ層上にＮｉメッキ層およびＡｕメッキ層を被着させたもの・Ｃｒ−Ｃｕ合金層・Ｃｒ−Ｃｕ合金層上にＮｉメッキ層およびＡｕメッキ層を被着させたもの・Ｔａ２Ｎ層上にＮｉ−Ｃｒ合金層およびＡｕメッキ層を被着させたもの・Ｔｉ層上にＰｔ層およびＡｕメッキ層を被着させたもの・またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅は、伝送される高周波信号の周波数や用途等に応じて設定される。
【００３０】
次に、図４に本発明のローパスフィルタの実施の形態の他の例を、図１と同様の分解斜視図で示す。
【００３１】
図４において、１ａは第１の誘電体層、２ａは第２の誘電体層、３ａは第３の誘電体層、４ａは第４の誘電体層、５ａは第１のグランド電極、６ａは第２のグランド電極、７ａは第１のコンデンサ電極、８ａは第２のコンデンサ電極、９ａは第３のコンデンサ電極、１０ａは第１のコイル電極、１１ａは第２のコイル電極、１２ａは第１の貫通導体、１３ａは第２の貫通導体、１４ａは第３の貫通導体である。
【００３２】
図４に示す例においては、第１の誘電体層１ａの下面に形成された第１のグランド電極５ａならびに第２の誘電体層２ａおよび第３の誘電体層３ａ間に形成された第２のグランド電極６ａと、第１の誘電体層１ａおよび第２の誘電体層２ａ間に形成され第１のグランド電極５ａおよび第２のグランド電極６ａと対向した第１のコンデンサ電極７ａとの間に生じる接地容量をＣ１とし、第３の誘電体層３ａおよび第４の誘電体層４ａ間に形成され、第２のグランド電極２ａとそれぞれ対向した第２のコンデンサ電極８ａおよび第３のコンデンサ電極９ａとの間に生じる接地容量をそれぞれＣ２ａおよびＣ３ａとし、第４の誘電体層４ａの上面に形成された第１のコイル電極１０ａおよび第２のコイル電極１１ａにより生じるインダクタンスをそれぞれＬ１ａおよびＬ２ａとし、第１のコンデンサ電極７ａと第２の誘電体層２ａ・第２のグランド電極６ａおよび第３の誘電体層３ａを介して第２のコンデンサ電極８ａおよび第３のコンデンサ電極９ａとが対向して形成される容量をそれぞれＣ４ａおよびＣ５ａとする。
【００３３】
そして、図４に示す例では、第１のコイル電極１０ａおよび第２のコイル電極１１ａの一方端同士を接続し、例えば第１の貫通導体１２ａを介して接地容量Ｃ１ａを生じる第１のコンデンサ電極７ａと電気的に接続するとともに、第１のコイル電極１０ａの他方端を例えば第２の貫通導体１３ａを介して接地容量Ｃ２ａを生じる第２のコンデンサ電極８ａと電気的に接続して入力端子とし、また、第２のコイル電極１１ａの他方端を接地容量Ｃ３ａを生じる第３のコンデンサ電極９ａと例えば第３の貫通導体１４ａを介して電気的に接続することによりローパスフィルタを構成している。ここで、第１のコンデンサ電極７ａと第２のコンデンサ電極８ａとの間に生じる容量をＣ４ａとし、第１のコンデンサ電極７ａと第３のコンデンサ電極９ａとの間に生じる容量をＣ５ａとする。
【００３４】
この図４に示す例においては、第４の誘電体層４ａの上面に形成された第１および第２のコイル電極１０ａ・１１ａをそれぞれミアンダ形状にすることにより、第１および第２のコイル電極１０ａ・１１ａを積層して形成し貫通導体を用いて電気的に接続する必要がないことから、図１に示す例に比べて、第４の誘電体層４ａならびに第１および第２のコイル電極１０ａ・１１ａの構成を簡単にすることができ、特性のばらつきの低減や製造コストの低コスト化の面において有利な構成となっている。
【００３５】
このような図４に示す本発明のローパスフィルタの例によれば、その等価回路図は図５に示すようなものとなる。そして、容量Ｃ１ａ〜Ｃ５ａおよびインダクタンスＬ１ａ・Ｌ２ａを調整することにより、所望の特性を有するローパスフィルタを得ることができる。
【００３６】
図６は、図４に示す本発明のローパスフィルタの例における周波数特性を示す図３と同様の線図である。図６に示す結果より、本発明のローパスフィルタによれば、図３と同様に通過帯域（０．８８ＧＨｚから０．９１５ＧＨｚ）の２倍および３倍の周波数（１．７６ＧＨｚから１．８３ＧＨｚおよび２．６４ＧＨｚから２．７４５ＧＨｚ）において減衰極が発現しているとともに大きな減衰量が得られていることが分かる。
【００３７】
なお、本発明は以上の実施の形態の例に限定されるものではなく、本発明の要旨を逸脱しない範囲で種々の変更を加えることは何ら差し支えない。例えば、本発明のローパスフィルタによれば、第１乃至第３の誘電体層１〜３の厚みを薄くしたり、これらに高誘電率材料を用いたり、第４の誘電体層４に磁性体を混ぜたりすることにより、さらなる特性の改善や小型化が可能となる。
【００３８】
また、第４の誘電体層の上面にシールド電極を設けたり、第１乃至第３の貫通導体の代わりに、誘電体層の側面に各電極の接続用導体を形成して各電極間を電気的に接続してもよい。
【００３９】
また、本発明のローパスフィルタは、フィルタ単体部品としてでなく、回路基板の一部として構成することも可能である。
【００４０】
【発明の効果】
本発明のローパスフィルタによれば、順次積層された第１乃至第４の誘電体層と、第１の誘電体層の下面に形成された第１のグランド電極ならびに第２および第３の誘電体層間に形成された第２のグランド電極と、第１および第２の誘電体層間に形成され、第１および第２のグランド電極と対向した第１のコンデンサ電極と、第３および第４の誘電体層間に形成され、第２のグランド電極とそれぞれ対向した第２および第３のコンデンサ電極と、第４の誘電体層の上面に形成された第１および第２のコイル電極とを具備し、第１および第２のコイル電極の一方端同士を接続するとともにこれら一方端間を第１のコンデンサ電極と電気的に接続するとともに、第１のコイル電極の他方端を第２のコンデンサ電極と電気的に接続するとともに入力端子とし、第２のコイル電極の他方端を第３のコンデンサ電極と電気的に接続するとともに出力端子としてローパスフィルタを構成したことから、第１のコイル電極（Ｌ１）と、第１のコイル電極（Ｌ１）の両端に接続されることとなる第１のコンデンサ電極および第２のコンデンサ電極の間に形成されるコンデンサ（Ｃ４）とによる並列共振回路により発現する減衰極、および第２のコイル電極（Ｌ２）と、第２のコイル電極（Ｌ２）の両端に接続されることとなる、第１のコンデンサ電極および第３のコンデンサ電極の間に形成されるコンデンサ（Ｃ５）とによる並列共振回路により発現する減衰極を、コイル電極およびコイル電極の両端に接続されるコンデンサの大きさを変えることにより任意に設定できる。すなわち、コイル電極を大きくしたい場合はコンデンサ電極を小さくでき、またコンデンサ電極を大きくしたい場合はコイル電極を小さくできるため、コイル電極およびコンデンサ電極の大きさを適切に設定することにより、ローパスフィルタ全体のコイル電極およびコンデンサ電極を大きくすることなく減衰極を低下させることができる。
【００４１】
また、このようにして並列共振回路を２つ直列に接続したことにより、２つの任意の減衰極を設けることができる。また、第１乃至第３の３つのコンデンサ電極のうち、一般的に用いられるバタワース型・ベッセル型およびチェビシェフ型等のローパスフィルタの構成上最も大きくなる第１のコンデンサ電極を第１および第２の誘電体層間に第１および第２のグランド電極と対向させて形成したことにより、第１のコンデンサ電極と第１および第２のグランド電極とを対向させて形成される接地容量Ｃ１の大きさを、１つのグランド電極のみに対向する際に必要とされる大きさの略半分とすることができる。また、積層方向から見た場合に、第１のコンデンサ電極と第２および第３のコンデンサ電極とを重ねることができるため、ローパスフィルタ全体を小型化できる。
【００４２】
また、入力端子および出力端子を第１の誘電体層の下面に導出したときには、このローパスフィルタを表面実装型の電子部品として外部電気回路基板上に実装することが可能となる。
【００４３】
以上のように本発明によれば、通過帯域の２倍および３倍に減衰極を持ち、減衰極を多くのパラメータにて調整可能な、しかも全体の形状を小型化できる、１〜３ＧＨｚ前後の高周波の周波数帯において好適に使用されるローパスフィルタを提供することができた。
【図面の簡単な説明】
【図１】本発明のローパスフィルタの実施の形態の一例を示す分解斜視図である。
【図２】図１に示すローパスフィルタの例の等価回路図である。
【図３】図１に示すローパスフィルタの例の周波数特性を示す線図である。
【図４】本発明のローパスフィルタの実施の形態の他の例を示す分解斜視図である。
【図５】図４に示すローパスフィルタの例の等価回路図である。
【図６】図４に示すローパスフィルタの例の周波数特性を示す線図である。
【符号の説明】
１、１ａ・・・・・第１の誘電体層
２、２ａ・・・・・第２の誘電体層
３、３ａ・・・・・第３の誘電体層
４、４ａ・・・・・第４の誘電体層
５、５ａ・・・・・第１のグランド電極
６、６ａ・・・・・第２のグランド電極
７、７ａ・・・・・第１のコンデンサ電極
８、８ａ・・・・・第２のコンデンサ電極
９、９ａ・・・・・第３のコンデンサ電極
１０、１０ａ・・・・・第１のコイル電極
１１、１１ａ・・・・・第２のコイル電極
１２、１２ａ・・・・・第１の貫通導体
１３、１３ａ・・・・・第２の貫通導体
１３、１３ａ・・・・・第３の貫通導体
【図１】
2004153414.tif 000003
【図２】
2004153414.tif 000004
【図３】
2004153414.tif 000005
【図４】
2004153414.tif 000006
【図５】
2004153414.tif 000007
【図６】
2004153414.tif 000008